(57)【要約】【課題】画像形成装置において、形成した画像に低濃度領域と高濃度領域が混在する場合でも、所要の用紙の分離性と転写性を得られるようにする。【解決手段】コンピュータ等の画像形成装置が備える制御手段へのジョブ内容の入力後で光書き込み開始前に、用紙トレイサイズ、給紙紙種、環境、印字面、画像濃度情報を取得し、２次転写部で用紙に転写しようとする画像に低濃度領域と高濃度領域が混在すると判断した場合、２次転写バイアスと分離バイアスの値を、画像を転写しようとする用紙の領域内で可変させる。そのことで、２次転写部における用紙の分離性の向上や、２次転写条件の不良による転写不良や分離バイアス過多によるトナー乱れなどの異常画像の発生を防止する。【選択図】図３
2014085553.tif 000002
【特許請求の範囲】
【請求項１】
複数の像担持体と、
中間転写体と、
前記複数の像担持体の各々から前記中間転写体上にトナー転写を行うことによって、前記中間転写体上に画像を形成する１次転写部と、
前記複数の像担持体とは別の位置で前記中間転写体に対向して配置され、前記中間転写体上の前記画像を転写材に一括転写するための２次転写部材を有する２次転写部と、
前記転写材が２次転写部で分離するための除電部材と、
前記２次転写部で印加する２次転写バイアスと前記除電部材に印加する分離バイアスとを制御する制御手段と、
を有する画像形成装置において、
前記画像の先端領域の濃度情報を前記画像が前記２次転写部に到達するまでに識別し、
前記制御手段は、前記画像が先端領域が低濃度で後端領域が高濃度の画像からなる場合、前記２次転写部で印加する２次転写バイアスの絶対値を前記先端領域で低く、前記後端領域で高くし、前記除電部材に印加する分離バイアスの絶対値を前記先端領域で高く、前記後端領域で低くする制御を行う、
ことを特徴とする画像形成装置。
【請求項２】
前記画像の前記先端領域での最小構成画像面積のトナー層厚付着量を０ｇ／ｍ２〜６ｇ／ｍ２とし、前記後端領域のトナー層厚付着量を６ｇ／ｍ２以上とすることを特徴とする請求項１に記載の画像形成装置。
【請求項３】
前記制御手段は、前記２次転写バイアスと前記分離バイアスの切り替えを、前記後端領域に２次転写バイアスが印加されるまでに終了させる制御を行えることを特徴とする請求項１または２に記載の画像形成装置。
【請求項４】
前記制御手段は、前記２次転写バイアスと分離バイアスを環境に応じて設定する制御を行えることを特徴とする請求項１ないし３のいずれかに記載の画像形成装置。
【請求項５】
前記制御手段は、前記２次転写バイアスと分離バイアスを紙種に応じて設定する制御を行えることを特徴とする請求項１ないし４のいずれかに記載の画像形成装置。
【請求項６】
前記制御手段は、前記２次転写バイアスと分離バイアスを用紙のサイズに応じて設定する制御を行えることを特徴とする請求項１ないし５のいずれかに記載の画像形成装置。
【請求項７】
前記制御手段は、前記２次転写バイアスと分離バイアスを前記用紙の画像形成面のサイズに応じて設定する制御を行えることを特徴とする請求項１ないし５のいずれかに記載の画像形成装置。
【請求項８】
前記分離バイアスをＡＣバイアスの印加とすることを特徴とする請求項１ないし７のいずれかに記載の画像形成装置。
【請求項９】
前記中間転写体は、無端状のベルト形状であって、少なくともベルトの伸び縮みを吸収する従動ローラと中間転写ベルトを搬送する駆動ローラとによって掛け回されて回転する中間転写ベルトであることを特徴とする請求項１ないし８のいずれかに記載の画像形成装置。
【請求項１０】
前記２次転写部材は前記駆動ローラもしくは前記従動ローラに対向して配置されることを特徴とする請求項９に記載の画像形成装置。
【請求項１１】
表面に画像が形成される像担持体と、
前記像担持体上の前記画像を転写材に転写するための転写部材を有する転写部と、
前記転写材が転写部で分離するための除電部材と、
前記転写部で印加する転写バイアスと前記除電部材に印加する分離バイアスとを制御する制御手段と、
を有する画像形成装置において、
前記画像の先端領域の濃度情報を前記画像が前記転写部に到達するまでに識別し、
前記制御手段は、前記画像が先端領域が低濃度で後端領域が高濃度の画像からなる場合、前記転写部で印加する転写バイアスの絶対値を前記先端領域で低く、前記後端領域で高くし、前記除電部材に印加する分離バイアスの絶対値を前記先端領域で高く、前記後端領域で低くする制御を行う、
ことを特徴とする画像形成装置。
【発明の詳細な説明】
【技術分野】
【０００１】
本発明は画像形成装置に関する。
【背景技術】
【０００２】
電子写真式画像形成装置においては、ホームオフィスや一般ユーザーの領域でも幅広く活用されるようになってきた。この領域に対応した商品を提供するためには、低コスト化、長寿命化、小型化を実現する技術と共に、高い用紙対応力が要求される。
【０００３】
中間転写方式の画像形成装置は、用紙対応力やレイアウトの自由度という利点から幅広く使用されている。さらなる用紙対応力を実現するためには、曲率分離では分離不可能な薄紙を通紙することが必要になる。しかし、薄紙は２次転写部で用紙が帯電することで分離不良となりやすいため、用紙が帯電しやすい低濃度画像からなる場合は、特に分離に不利である。
【０００４】
薄紙を分離する方式として、２次転写ニップ後に分離爪を設けたものや除電針を設けたものがある。しかし、分離爪は、用紙印字面に設けベルト側への巻きつきを防ぐようにしているため、定着前トナー画像を傷つける恐れがある。また、除電針から分離バイアスを印加する方式では、画像が高濃度の場合は、分離バイアスが高いとトナー像が乱れてしまう恐れがある。
【０００５】
そこで、用紙先端領域が分離に不利な低濃度画像の場合は分離バイアスを高く２次転写バイアスを低くし、用紙先端領域が高濃度画像の場合は分離バイアスを低く２次転写バイアスを高く設定する方式がある。
【０００６】
例えば特許文献１には、用紙先端領域の濃度に応じて分離バイアスと２次転写バイアスを設定することで、分離性と転写性を確保する方法が開示されているが、用紙先端領域が低濃度かつ副走査方向で濃くなる場合、分離バイアスと２次転写バイアスを画像内で変更できないため、画像後端領域のトナー量が多いとトナー乱れや転写不良が発生しやすいと考えられる。
【０００７】
なお、感光体ドラム上に形成したトナー像を用紙へ直接転写する直接転写方式の画像形成装置においても上述した中間転写方式の画像形成装置と同様の課題がある。
【発明の概要】
【発明が解決しようとする課題】
【０００８】
本発明は、画像形成装置において、形成した画像に低濃度領域と高濃度領域が混在する場合でも、所要の用紙の分離性と転写性を得られるようにする。
【課題を解決するための手段】
【０００９】
本発明の画像形成装置は、複数の像担持体と、中間転写体と、前記複数の像担持体の各々から前記中間転写体上にトナー転写を行うことによって、前記中間転写体上に画像を形成する１次転写部と、前記複数の像担持体とは別の位置で前記中間転写体に対向して配置され、前記中間転写体上の前記画像を転写材に一括転写するための２次転写部材を有する２次転写部と、前記転写材が２次転写部で分離するための除電部材と、前記２次転写部で印加する２次転写バイアスと前記除電部材に印加する分離バイアスとを制御する制御手段と、を有する画像形成装置において、前記画像の先端領域の濃度情報を前記画像が前記２次転写部に到達するまでに識別し、前記制御手段は、前記画像が先端領域が低濃度で後端領域が高濃度の画像からなる場合、前記２次転写部で印加する２次転写バイアスの絶対値を前記先端領域で低く、前記後端領域で高くし、前記除電部材に印加する分離バイアスの絶対値を前記先端領域で高く、前記後端領域で低くする制御を行う、
ことを特徴とする。
【００１０】
また本発明の画像形成装置は、表面に画像が形成される像担持体と、前記像担持体上の前記画像を転写材に転写するための転写部材を有する転写部と、前記転写材が転写部で分離するための除電部材と、前記転写部で印加する転写バイアスと前記除電部材に印加する分離バイアスとを制御する制御手段と、を有する画像形成装置において、前記画像の先端領域の濃度情報を前記画像が前記転写部に到達するまでに識別し、前記制御手段は、前記画像が先端領域が低濃度で後端領域が高濃度の画像からなる場合、前記転写部で印加する転写バイアスの絶対値を前記先端領域で低く、前記後端領域で高くし、前記除電部材に印加する分離バイアスの絶対値を前記先端領域で高く、前記後端領域で低くする制御を行う、ことを特徴とする。
【発明の効果】
【００１１】
本発明によれば、形成した画像に低濃度領域と高濃度領域が混在する場合でも、転写バイアスと分離バイアスの値を用紙の領域内で可変とすることで、画像を転写した用紙についての所要の分離性と転写性を得ることができる。
【図面の簡単な説明】
【００１２】
【図１】本発明の実施対象となるタンデム型の画像形成装置の概略図
【図２】用紙の領域を先端領域と後端領域に分ける定義について説明するための概念図
【図３】２次転写バイアスと分離バイアスの制御のフロー図
【図４】２次転写バイアスと分離バイアスの制御について説明する図
【図５】本発明の実施例と比較例における各種数値について示す図
【発明を実施するための形態】
【００１３】
以下、本発明の実施形態を説明する。
既述のように、中間転写体を用いた画像形成装置では、用紙が２次転写バイアスによって帯電するため、坪量が小さい用紙は２次転写ニップ通過後、静電的な力でベルト側へ巻きつき、分離不良となることがある。ただし、分離バイアスが高いとトナー乱れなどの画像問題が発生する。
【００１４】
回避手段として、用紙先端の画像濃度に応じて、分離バイアスと２次転写バイアスを設定し、分離不良を防ぐ手法がある。すなわち、用紙先端領域が低濃度画像からなる場合、用紙が帯電しやすく、分離不良が発生しやすいため、分離バイアスを高く、２次転写バイアスを低く設定する。用紙先端領域が高濃度画像からなる場合、用紙が帯電し難いため分離バイアスを低く２次転写バイアスを高く設定する。
【００１５】
しかし、用紙先端領域の画像が低濃度かつ副走査方向で濃くなる場合、分離バイアスと２次転写バイアスを用紙の領域内で変更できないので、画像後端領域のトナー量が多いとトナー乱れや転写不良が発生する。これらの点については対策が必要である。
【００１６】
そこで本発明の実施形態では、制御手段から情報から転写しようとする画像に低濃度領域と高濃度領域が混在すると判断される場合、２次転写バイアスと分離バイアスの値を、画像を転写しようとする用紙の領域内で可変させることで、分離性の向上や、２次転写不足による転写不良や分離バイアス過多によるトナー乱れなどの異常画像の発生防止を図る。
【００１７】
以下、図面を参照して本発明の実施形態を説明する。
図１は、タンデム型の画像形成装置の概略図を説明したものである。像担持体である感光体ドラム１の周囲には、感光体ドラム１の表面を帯電するための帯電装置２、一様に帯電処理した感光体ドラム１の表面に潜像を形成するためのレーザー光（露光３）、感光体ドラム１の表面の潜像に帯電トナーを付着させることでトナー像を形成する現像装置５、形成された感光体ドラム１上のトナー像を被転写体である中間転写ベルト１３へ転写するための転写装置７、感光体ドラム１上の残留トナーを除去するためのクリーニング装置１２が順に配置されている。また、現像装置５の上部には交換可能なトナーを収容し、現像装置５と連結してトナーを現像装置５内へ供給するトナー補給容器４が配置してある。
【００１８】
トナー補給容器４は、図１では直接に現像装置５内にトナーを搬送する構成として示したが、画像形成装置の装置本体内にトナーの補給経路を設け、この補給経路を介して現像装置５にトナーを補給する構成でもかまわない。
【００１９】
図示のようなタンデム型の電子写真方式の画像形成装置では、主にブラック、マゼンタ、シアン、イエローといった単色の画像を感光体ドラム１の表面に形成する。
【００２０】
このような構成において、画像形成がネガポジ方式（露光部電位を低くしトナーを付着させる）で行われる場合、帯電装置２の帯電ローラ２ａによって表面を一様に負に帯電された感光体ドラム１の表面には露光３によって静電潜像が形成され、現像装置５によってトナーを付着させて像を可視化する。トナー像は、中間転写ベルト１３等を含む転写装置７によって、感光体ドラム１の表面から転写される。感光体ドラム１から中間転写ベルト１３に転写されなかった残トナーは、クリーニング装置１２のクリーニングブレード１１により感光体ドラム１の表面から除去される。中間転写ベルト１３の表面に転写されたトナー像は、２次転写部を構成する２次転写ローラ８にバイアスを印加し、給紙トレイから搬送されてきた記録材等の用紙Ｐへ転写される。トナー像の転写後に中間転写ベルト１３の表面に残留するトナー成分や外添材成分はクリーニング部材２６によって除去される。
【００２１】
転写された用紙が中間転写ベルト１３へ巻きつかず分離できるよう除電針１９に分離バイアスを印加する。用紙に転写されたトナー像は、定着装置９によって用紙上に溶着され、非図示の排紙口より排出される。図中１５は中間転写ベルト１３上に転移したトナーの付着量及び各色の位置を測定して画像濃度や位置あわせの調整に使用するセンサであり、例えば正反射と拡散反射方式を組み合わせたものが用いられる。また図中１６は中間転写ベルト１３の表面に残存したトナーを清掃するクリーニングユニットであり、クリーニングブレード１４は中間転写ベルト１３の移動方向に対してカウンタ方向となるように当接させており、対向するように金属製クリーニング対向ローラ１７を設けている。クリーニングブレードにより除去されたトナーはコイル１８などで搬送され、非図示の廃トナー収納部に収納される。
【００２２】
図２は、用紙Ｐの先端領域と後端領域の定義について説明するための図である。用紙Ｐの先端領域Ｐ１は用紙Ｐの先端から低濃度画像と高濃度画像の境目（用紙Ｐの先端から図２の符号Ａの位置）までの領域とする。ただし、低濃度画像の領域が用紙Ｐの先端余白領域以上存在する場合、先端領域Ｐ１が低濃度であると定義する。また、後端領域Ｐ２は低濃度画像と高濃度画像の境目（符号Ａ）から用紙Ｐの後端までの領域とする。後端領域Ｐ２は、図２（ａ）のように、高濃度画像のみから形成されていても、あるいは図２（ｂ）のように低濃度画像と高濃度画像が混在していても、いずれでもよい。
【００２３】
低濃度画像のみからなる領域が用紙Ｐの先端余白領域を超えては後端側に存在しない場合は、用紙Ｐの先端領域Ｐ１を高濃度領域とし、低分離バイアス、高２次転写バイアスを印加する。この時、用紙Ｐの領域内で２次転写電流と分離バイアスを変更しない。なお、例えば、低濃度とは最小構成画像面積におけるトナー層厚が付着量０ｇ／ｍ２〜６ｇ／ｍ２、高濃度とはそれ以上と定義することができる。
【００２４】
図３は、２次転写バイアスと分離バイアスの制御のフロー図であり、２次転写バイアスと分離バイアスの制御をこの図３を参照して説明する。
まず、用紙トレイサイズ、給紙紙種、環境、印字面、画像濃度情報を取得する（ステップＳ１、Ｓ２）が、これはコンピュータ等の画像形成装置が備える制御手段へのジョブ内容の入力後で光書き込み開始前であればよい。その後、光書き込みを開始し（ステップＳ３）、用紙Ｐの給紙を開始し（ステップＳ４）、レジストローラ（用紙Ｐが感光体ドラム１上のトナー像と同期して転写されるように用紙Ｐの搬送タイミングを制御するローラあるいはローラ対であり、ペーパストップローラともいう。図示せず。）をオン（ステップＳ５）させて給紙する。
【００２５】
ステップＳ１、Ｓ２で取得したデータから（あるいは、そのほかのセンサ等の検知手段で取得したデータを含んでも良い）、用紙Ｐの先端領域Ｐ１に存在する画像が低濃度画像だけかどうかを判断し（ステップＳ６）、判断結果に応じて先端領域Ｐ１に印加するバイアス値を決定する（ステップＳ７、Ｓ８）。すなわち、先端領域Ｐ１の画像が低濃度のものだけの場合、高分離バイアス／低２次転写バイアスの印加（ステップＳ７）とし、先端領域Ｐ１の画像が低濃度のものだけでない場合は低分離バイアス／高２次転写バイアスの印加（ステップＳ８）とする。
【００２６】
高分離バイアス／低２次転写バイアスの印加（ステップＳ７）後、後端領域Ｐ２の画像濃度が高濃度かどうかを判断し、後端領域Ｐ２の画像濃度の情報に応じて２次転写バイアス値を切り替えるか判断する（ステップＳ９）。すなわち後端領域Ｐ２が高濃度の画像を含む場合は分離バイアスを高く、２次転写バイアスを低く設定して印加する（ステップＳ１０）。また後端領域Ｐ２が高濃度の画像を含まない場合は２次転写バイアスを低く、分離バイアスを高くなるように設定する（ステップＳ８）。そして、分離バイアスと２次転写バイアスの印加を終了し（ステップＳ１１）、用紙Ｐを画像形成装置本体外へ排出する（ステップＳ１２）。
【００２７】
図４は、２次転写バイアスと分離バイアスの制御について説明するための図である。
２次転写バイアスと分離バイアスの切り替えは用紙Ｐの先端領域Ｐ１と後端領域Ｐ２の境界が２次転写ニップ部に到達するまでに行う。図中Ｔ１、Ｔ２は電流が切り替えの際に安定するまでの時間を表している。この値は事前に実験、経験等によって設定する。バイアスの切り替えを、高濃度画像が含まれる後端領域Ｐ２に到達するまでに終えることで高濃度画像領域でのボソツキやチリなどの異常画像を防止する。
【００２８】
図５は、本発明の実施例と、それに対する比較例について説明するための図である。
２次転写バイアスと分離バイアスを外部電源から所望のタイミングで制御できるように、カラープリンタを改造した。カラープリンタには株式会社リコー製の商品名ＩＰＳｉＯ  ＳＰ  Ｃ３２０を用いた。２次転写バイアスは定電流、定電圧どちらで用いてもよい。本発明の実施例では定電流制御を用いた。また用紙２５枚通紙を１セットとした。ベルトの体積抵抗は１．０×１０１０（Ω・ｃｍ）である。また、転写ベルトは基層と積層の２層から形成されているものを用いている。また最小構成の画像面積はプリンタの１ｄｏｔに相当するものとした。本発明の実施例では、６００ｄｐｉの画像で評価したので４２μｍである。そして、１ｄｏｔのトナー付着量が０ｇ／ｍ２〜６ｇ／ｍ２を低濃度、それ以上の場合を高濃度とした。用紙の先端から１０ｍｍまでの位置に低濃度の画像を形成し、それ以降が高濃度の画像となるように形成して評価した。常温常湿環境は２３℃５０％、低温低湿環境は１０℃１５％の環境を表している。トナー乱れの現象によって生じる現象としてチリとボソツキを評価した。
【００２９】
＜評価（１）画像評価＞
ボソツキ、チリなどの異常画像が発生した場合を「×」、未発生の場合を「○」と判定した。
＜評価（２）分離評価＞
２５枚通紙し、１枚でも分離不良が発生した場合を「×」、未発生の場合を「○」と判定した。
＜総合評価＞
総合評価として画像評価、分離評価が全て「○」の場合のみ、総合評価「○」と判定した。それ以外の場合は、総合評価「×」と判定した。
【００３０】
＜実施例１＞
Ａ４サイズの薄紙（坪量５２ｇ／ｍ２）の表面で評価した。先端１０ｍｍまでの領域（以後、先端領域）の２次転写バイアスを１５μＡ、それ以降の領域（以後、後端領域）を２５μＡ、先端１０ｍまでの分離バイアスを−２５００Ｖ、それ以降を−５００Ｖとした。常温常湿環境で評価した。
＜比較例１＞
実施例１に対し、先端領域の２次転写バイアスを３０μＡとした。先端領域の２次転写バイアスが高いと用紙帯電が発生し分離不良が発生した。
＜比較例２＞
実施例１に対し、後端領域の２次転写バイアスを１５μＡとした。後端領域は高濃度のため、２次転写バイアスが低いと転写不良が発生した。
＜比較例３＞
実施例１に対し、後端領域の分離バイアスを−２５００Ｖとした。後端領域は高濃度のため、分離バイアスが高いと用紙非印字面の荷電が取り除かれすぎることによりチリが発生した。
＜比較例４、５＞
実施例１に対し、比較例４、５は低温低湿環境で評価した。紙は開封直後とした。比較例４は、２次転写バイアスが低温低湿環境では低くしないと放電によるボソツキが発生した。また、用紙が帯電しやすくなるため、分離不良が発生した。比較例５は、２次転写バイアスを先端領域８μＡ、後端領域１５μＡとし、分離バイアスを先端領域−３０００Ｖ、後端領域を−５００Ｖとした。
＜比較例６、７＞
実施例１に対し、比較例６、７は坪量２５６ｇ／ｍ２の紙で評価した。坪量が大きい用紙は、抵抗が高いため、比較例６は２次転写バイアスを低くしないと放電によるボソツキが発生した。また、紙抵抗が高いため分離バイアス印加によるチリが発生した。比較例７は２次転写バイアスを先端領域７μＡ、後端領域１５μＡ、分離バイアスを先端、後端ともに０Ｖとした。坪量が大きいため、分離バイアス０Ｖでも分離できた。
＜比較例８、９＞
実施例１に対し、比較例８、９は自動両面印刷モードに設定し表面印字後の裏面で評価した。比較例８は裏面は用紙抵抗が高くなるため、巻きつきと放電によるボソツキが発生した。比較例９は２次転写バイアスを先端領域は１０μＡ、後端領域は１８μＡ、分離バイアスを先端領域を−２７００Ｖとした。
＜比較例１０、１１＞
実施例１に対し、比較例１０、１１は用紙サイズをＡ５とした。比較例１０は転写ベルト用紙幅よりも小さい用紙は紙なし部から２次転写バイアスがリークし転写不良が発生した。また、用紙が帯電しやすいため、分離不良が発生した。比較例１１は２次転写バイアスを先端領域は３０μＡ、後端領域は６０μＡ、分離バイアスを先端領域を−３０００Ｖとした。
【００３１】
すなわち、前述の制御でカラー画像の先端領域での最小構成画像面積のトナー層厚付着量を０ｇ／ｍ２〜６ｇ／ｍ２とし、後端領域のトナー層厚付着量が６ｇ／ｍ２以上とすることで、先端領域に高い分離バイアスを印加してもトナー乱れが発生しない。また制御を後端領域に２次転写バイアスが印加される前に終えることで、先端領域が低濃度画像、後端領域が高濃度画像からなる場合、切り替えタイミングが遅れることによるトナー乱れや転写電流不足によるボソツキなどを防止する。さらに環境によって、最適な２次転写バイアスと分離バイアスを設定することが可能である。また紙種によって、最適な２次転写バイアスと分離バイアスを設定することが可能である。またＡＣバイアスを印加することで低い分離バイアスで分離させるようにすることもできる。
【００３２】
本発明は以上説明した実施形態に限定されるものではなく、多くの変形が本発明の技術的思想内で当分野において通常の知識を有する者により可能である。
例えば、ベルト形状の中間転写ベルトに代えてドラム形状の中間転写ドラムを用いてもよい。また、感光体ドラム上に形成したトナー像を用紙へ直接転写する、いわゆる直接転写方式の画像形成装置にも本発明は適用可能である。すなわち、表面に画像が形成される像担持体である感光体ドラムと、前記感光体ドラム上の前記画像を用紙に転写するための転写部材である転写ローラを有する転写部と、用紙が転写部で分離するための除電部材と、前記転写部で印加する転写バイアスと前記除電部材に印加する分離バイアスとを制御する制御手段と、を有する画像形成装置において、前記画像の先端領域の濃度情報を前記画像が前記転写部に到達するまでに識別し、前記制御手段は、前記画像が先端領域が低濃度で後端領域が高濃度の画像からなる場合、前記転写部で印加する転写バイアスの絶対値を前記先端領域で低く、前記後端領域で高くし、前記除電部で印加する分離バイアスの絶対値を前記先端領域で高く、前記後端領域で低くする制御を行う、画像形成装置、にも適用可能である。
【符号の説明】
【００３３】
１        ：感光体ドラム
２        ：帯電装置
２ａ      ：帯電ローラ
３        ：露光
４        ：トナー補給容器
５        ：現像装置
７        ：転写装置
８        ：２次転写ローラ
９        ：定着装置
１１      ：クリーニングブレード
１２      ：クリーニング装置
１３      ：中間転写ベルト
１４      ：クリーニングブレード
１７      ：金属製クリーニング対向ローラ
１８      ：コイル
１９      ：除電針
２５      ：用紙
２６      ：クリーニング部材
Ｐ        ：用紙
Ｐ１      ：先端領域
Ｐ２      ：後端領域
【先行技術文献】
【特許文献】
【００３４】
【特許文献１】特開昭６１−１３８９７４号公報
【図１】
2014085553.tif 000003
【図２】
2014085553.tif 000004
【図３】
2014085553.tif 000005
【図４】
2014085553.tif 000006
【図５】
2014085553.tif 000007